【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  通信装置であって、
他の装置の表示器に関するディスプレイ情報を収集する収集手段と、
前記収集手段により収集したディスプレイ情報に基づいて、当該通信装置の表示器での表示内容を、他の装置の表示器の表示内容と異ならせて設定する設定手段と、
を有することを特徴とする通信装置。
【請求項２】
前記収集手段は、前記他の装置の表示器での表示内容を収集する
ことを特徴とする請求項１に記載の通信装置。
【請求項３】
前記収集手段は、前記他の装置の表示器の表示能力を収集する
ことを特徴とする請求項１に記載の通信装置。
【請求項４】  前記設定手段は、当該通信装置の表示器の表示能力の制限から、その表示内容を他の装置の表示器の内容と異ならせて設定することが不可能な場合、前記収集手段により収集したディスプレイ情報を参照して、特定の他の装置に対して、表示内容の変更を要求する
ことを特徴とする請求項１に記載の通信装置。
【請求項５】  通信装置であって、
他の装置の表示器に関するディスプレイ情報を受信する受信手段と、
前記受信手段で受信したディスプレイ情報に基づいて、当該通信装置の表示器の表示情報を設定する設定手段と、
を有することを特徴とする通信装置。
【請求項６】
前記ディスプレイ情報は、前記他の装置の表示器での表示内容に関する情報である
ことを特徴とする請求項５に記載の通信装置。
【請求項７】
前記ディスプレイ情報は、前記他の装置の表示器での表示色に関する情報である
ことを特徴とする請求項５に記載の通信装置。
【請求項８】
前記通信装置は、撮像装置もしくは画像処理装置である
ことを特徴とする請求項５乃至７の何れか１項に記載の通信装置。
【請求項９】  表示器の表示方法であって、
第１の装置が他の装置の表示器に関するディスプレイ情報を収集する収集工程と、
前記収集工程において収集したディスプレイ情報に基づいて、前記第１の装置の表示器での表示内容を、前記他の装置の表示器の表示内容と異ならせて表示する表示工程と、
を有することを特徴とする表示器の表示方法。
【請求項１０】  表示器の表示方法であって、
第１の装置が他の装置の表示器に関するディスプレイ情報を受信する受信工程と、
前記受信工程において受信したディスプレイ情報に基づいて、前記第１の装置の表示器の表示情報を設定する設定工程と、
を有することを特徴とする表示器の表示方法。
【請求項１１】  表示器の表示制御を行うためのプログラムであって、
他の装置の表示器に関するディスプレイ情報を収集する収集工程と、
前記収集工程において収集したディスプレイ情報に基づいて、当該表示器での表示内容を、前記他の装置の表示器の表示内容と異ならせて表示する表示工程と、
を有することを特徴とするプログラム。
【請求項１２】  表示器の表示制御を行うためのプログラムであって、
他の装置の表示器に関するディスプレイ情報を受信する受信工程と、
前記受信工程において受信したディスプレイ情報に基づいて、当該表示器の表示情報を設定する設定工程と、
を有することを特徴とするプログラム。
【手続補正２】
【補正対象書類名】明細書
【補正対象項目名】０００１
【補正方法】変更
【補正の内容】
【０００１】
【発明の属する技術分野】
本発明は、通信可能な装置が有する表示器の表示制御に係る技術に関する。
【手続補正３】
【補正対象書類名】明細書
【補正対象項目名】００１３
【補正方法】変更
【補正の内容】
【００１３】
【課題を解決するための手段】
本発明は、通信装置であって、他の装置の表示器に関するディスプレイ情報を収集する収集手段と、前記収集手段により収集したディスプレイ情報に基づいて、当該通信装置の表示器での表示内容を、他の装置の表示器の表示内容と異ならせて設定する設定手段と、を有することを特徴とする通信装置を提供する。
【手続補正４】
【補正対象書類名】明細書
【補正対象項目名】００１４
【補正方法】変更
【補正の内容】
【００１４】
また、通信装置であって、他の装置の表示器に関するディスプレイ情報を受信する受信手段と、前記受信手段で受信したディスプレイ情報に基づいて、当該通信装置の表示器の表示情報を設定する設定手段と、を有することを特徴とする通信装置を提供する。
【手続補正５】
【補正対象書類名】明細書
【補正対象項目名】００１５
【補正方法】変更
【補正の内容】
【００１５】
また、表示器の表示方法であって、第１の装置が他の装置の表示器に関するディスプレイ情報を収集する収集工程と、前記収集工程において収集したディスプレイ情報に基づいて、前記第１の装置の表示器での表示内容を、前記他の装置の表示器の表示内容と異ならせて表示する表示工程と、を有することを特徴とする表示器の表示方法を提供する。
【手続補正６】
【補正対象書類名】明細書
【補正対象項目名】００１６
【補正方法】変更
【補正の内容】
【００１６】
また、表示器の表示方法であって、第１の装置が他の装置の表示器に関するディスプレイ情報を受信する受信工程と、前記受信工程において受信したディスプレイ情報に基づいて、前記第１の装置の表示器の表示情報を設定する設定工程と、を有することを特徴とする表示器の表示方法を提供する。
【手続補正７】
【補正対象書類名】明細書
【補正対象項目名】００１７
【補正方法】変更
【補正の内容】
【００１７】
また、表示器の表示制御を行うためのプログラムであって、他の装置の表示器に関するディスプレイ情報を収集する収集工程と、前記収集工程において収集したディスプレイ情報に基づいて、当該表示器での表示内容を、前記他の装置の表示器の表示内容と異ならせて表示する表示工程と、を有することを特徴とするプログラムを提供する。
【手続補正８】
【補正対象書類名】明細書
【補正対象項目名】００１８
【補正方法】変更
【補正の内容】
【００１８】
また、表示器の表示制御を行うためのプログラムであって、他の装置の表示器に関するディスプレイ情報を受信する受信工程と、前記受信工程において受信したディスプレイ情報に基づいて、当該表示器の表示情報を設定する設定工程と、を有することを特徴とするプログラムを提供する。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】０１２０
【補正方法】変更
【補正の内容】
【０１２０】
【発明の効果】
以上のように本発明によれば、表示器の表示により、装置同士を容易に識別することができる。